(57)【要約】【課題】診療データを表示させる診療情報表示制御装置および方法並びにプログラムにおいて、特定の疾患に関連する診療データを即座に表示させ、また現在だけでなく過去に罹患した疾患の診療データも表示させる。【解決手段】患者の疾患情報およびその罹患期間の情報を取得する疾患情報取得部１２と、診療データを表示させる表示期間の情報の指定を受け付ける表示期間指定受付部１５と、罹患期間の少なくとも一部が表示時間に含まれる疾患情報のリストを表示させ、かつ疾患情報のリストのうちの少なくとも１つの選択された疾患情報に対応づけられた診療項目の診療データを取得して時系列に表示させる表示制御部１６とを備え、その表示制御部１６が、表示期間が変更された場合には、その変更後の表示期間に罹患期間の少なくとも一部が含まれる疾患情報のリストに変更して表示させる。【選択図】図１
2015095217.tif 000002
【特許請求の範囲】
【請求項１】
患者の疾患情報および該疾患情報の罹患期間の情報を取得する疾患情報取得部と、
前記疾患情報と該疾患情報に関連する診療項目とを対応づけた対応診療項目情報が記憶された対応診療項目情報記憶部と、
前記診療項目の診療データを表示させる表示期間の情報の指定を受け付ける表示期間指定受付部と、
前記罹患期間の少なくとも一部が前記表示時間に含まれる前記疾患情報のリストを表示させ、かつ前記対応診療項目情報に基づいて、前記疾患情報のリストのうちの少なくとも１つの選択された疾患情報に対応づけられた前記診療項目の診療データを取得して時系列に表示させる表示制御部とを備え、
該表示制御部が、前記表示期間が変更された場合には、該変更後の表示期間に前記罹患期間の少なくとも一部が含まれる疾患情報のリストに変更して表示させるものである診療情報表示制御装置。
【請求項２】
前記表示制御部が、前記表示期間が変更された場合に、該変更前に予め選択されていた疾患情報については、前記罹患期間が前記変更後の表示期間に含まれていなくとも疾患リストに表示を継続するものである請求項１記載の診療情報表示制御装置。
【請求項３】
前記表示制御部が、前記表示期間指定受付部によって前記表示期間の変更操作が受け付けられ、該変更操作に応じて前記表示期間の時間軸表示を変更している間、前記疾患情報のリストについては、変更後の表示期間に対応する疾患情報のリストに変更して表示し、前記診療データについては、前記表示期間の変更操作の受け付け前に予め選択されていた疾患情報に対応する前記診療項目の診療データのみを時系列に表示させ、かつ前記表示期間の変更操作に応じて該変更後の表示期間に対応する前記診療データを表示させるものである請求項１または２記載の診療情報表示制御装置。
【請求項４】
複数の前記疾患情報をリスト表示させる場合、前記複数の疾患情報のそれぞれ対して優先順位を設定する優先順位設定部を備え、
前記表示制御部が、前記優先順位に基づいて前記複数の疾患情報をリスト表示させるものである請求項１または２記載の診療情報表示制御装置。
【請求項５】
前記表示制御部が、前記優先順位設定部によって優先順位が設定された複数の疾患情報のうち、最上位の疾患情報および最上位から予め設定された順位までの疾患情報を自動的に選択し、該選択した疾患情報に関連する診療項目の診療データを表示させるものである請求項４記載の診療情報表示制御装置。
【請求項６】
前記表示制御部によってリスト表示された疾患情報のうちの少なくとも１つの疾患情報の選択を受け付ける疾患情報選択受付部を備え、
前記表示制御部が、前記疾患情報選択受付部によって受け付けられた疾患情報に対応付けられた診療項目の診療データを表示させるものである請求項１または２記載の診療情報表示制御装置。
【請求項７】
前記優先順位設定部が、前記複数の疾患情報のそれぞれについて、関連する前記診療項目の項目数の情報を取得し、該項目数に基づいて前記疾患情報の優先順位を設定するものである請求項４記載の診療情報表示制御装置。
【請求項８】
前記優先順位設定部が、前記複数の疾患情報のそれぞれについて、関連する前記診療項目の診療データの取得回数の情報を取得し、該取得回数に基づいて前記疾患情報の優先順位を設定するものである請求項４記載の診療情報表示制御装置。
【請求項９】
前記優先順位設定部が、前記複数の疾患情報のそれぞれについて、関連する前記診療項目の診療データの表示回数の情報または表示時間の情報を取得し、該表示回数が多いまたは前記表示時間に基づいて前記疾患情報の優先順位を設定するものである請求項４記載の診療情報表示制御装置。
【請求項１０】
前記優先順位設定部が、前記患者の入院期間の情報を取得し、前記複数の疾患情報のうち、前記入院期間に該当する疾患情報の優先順位を高く設定するものである請求項４記載の診療情報表示制御装置。
【請求項１１】
前記優先順位設定部が、ユーザが属する所属診療科情報を取得し、前記複数の疾患情報のうち、前記所属診療科情報に関連する疾患情報の優先順位を高く設定するものである請求項４記載の診療情報表示制御装置。
【請求項１２】
前記罹患期間が、前記疾患情報の開始から完了までの期間または前記疾患情報に関連する入院期間として設定されたものであることを特徴とする請求項１記載の診療情報表示制御装置。
【請求項１３】
患者の疾患情報および該疾患情報の罹患期間の情報を取得し、
前記診療項目の診療データを表示させる表示期間の情報の指定を受け付け、
前記罹患期間の少なくとも一部が前記表示時間に含まれる前記疾患情報のリストを表示させ、かつ前記疾患情報のリストのうちの少なくとも１つの疾患情報に対応づけられた前記診療項目の診療データを取得して時系列に表示させ、
さらに前記表示期間が変更された場合には、該変更後の表示期間に前記罹患期間の少なくとも一部が含まれる疾患情報のリストに変更して表示させることを特徴とする診療情報表示制御方法。
【請求項１４】
コンピュータを、患者の疾患情報および該疾患情報の罹患期間の情報を取得する疾患情報取得部と、
前記疾患情報と該疾患情報に関連する診療項目とを対応づけた対応診療項目情報が予め記憶された対応診療項目情報記憶部と、
前記診療項目の診療データを表示させる表示期間の情報の指定を受け付ける表示期間指定受付部と、
前記罹患期間の少なくとも一部が前記表示時間に含まれる前記疾患情報のリストを表示させ、かつ前記対応診療項目情報に基づいて、前記疾患情報のリストのうちの少なくとも１つの疾患情報に対応づけられた前記診療項目の診療データを取得して時系列に表示させる表示制御部として機能させる診療情報表示制御プログラムであって、
前記表示制御部が、前記表示期間が変更された場合には、該変更後の表示期間に前記罹患期間の少なくとも一部が含まれる疾患情報のリストに変更して表示させるものであることを特徴とする診療情報表示制御プログラム。
【発明の詳細な説明】
【技術分野】
【０００１】
本発明は、時系列に取得された複数の診療項目の診療データを表示させる診療情報表示制御装置および方法並びにプログラムに関するものである。
【背景技術】
【０００２】
近年、医師によって診療が行われる際、疾患の進行状況を確認したり、治療方針などを決定したりするため、患者に対して実施された種々の検査結果などの診療データをディスプレイに表示させるシステムが提案されている。
【０００３】
このようなシステムで患者の診療データを表示させる際、たとえば患者の診療期間が長期間に亘る場合には、全ての診療データが一画面に収まらない場合が生じる。
【０００４】
そこで、特許文献１においては、ユーザが、所定の診療期間を指定し、その診療期間に取得された診療データのみを一画面内に表示するシステムが提案されている。
【先行技術文献】
【特許文献】
【０００５】
【特許文献１】特開２００１−２９０８８５号公報
【特許文献２】特開２０１２−２４７８７９号公報
【発明の概要】
【発明が解決しようとする課題】
【０００６】
しかしながら昨今、医療の高度化と高齢化に伴い１患者が同じ期間に患う疾患数が増えてきており、また疾患数の増加に応じてそれぞれで実施する検査数等の付随データも膨大となってきている。同じ期間に複数の疾患を罹患している場合、特許文献１に記載のシステムでは、複数の疾患に関連する診療データが同時に表示されるため、結局、診療データを即座に把握することができない。
【０００７】
また、医師が診療を行う際には疾患と疾患の関係性も考慮した診療を行うため、診療データが疾患単位で管理することが重要となる。例えば現在患者が罹患している疾患だけでなく、現在の疾患に影響を及ぼしている可能性がある過去に罹患した疾患も確認したい場合があるが、特許文献１では疾患単位で管理していないため、現在の疾患と過去の疾患の関係性を簡便な操作で把握することが難しい。
【０００８】
なお、特許文献２においては、指定された期間に診察した診察部位をマーク表示し、さらにその診察部位の疾患に関する電子カルテ情報や検査情報を表示させることが提案されているが、特許文献２では、特定の診察部位に関する検査情報しか表示させることができず、たとえば診察部位が登録されていない疾患に関する検査情報を抽出して表示させることはできない。また、診察部位でしか表示する検査情報のフィルタリングができず、こちらも同様に同じ期間に複数疾患があった場合に診療効率が悪い。
【０００９】
本発明は、上記事情に鑑み、特定の疾患に関連する診療データを即座に表示させることができ、また、現在罹患している疾患だけでなく、過去に罹患した疾患に関連する診療データも簡便な操作で即座に表示させることができる診療情報表示制御装置および方法並びにプログラムを提供することを目的とするものである。
【課題を解決するための手段】
【００１０】
本発明の診療情報表示制御装置は、患者の疾患情報およびその疾患情報の罹患期間の情報を取得する疾患情報取得部と、疾患情報とその疾患情報に関連する診療項目とを対応づけた対応診療項目情報が記憶された対応診療項目情報記憶部と、診療項目の診療データを表示させる表示期間の情報の指定を受け付ける表示期間指定受付部と、罹患期間の少なくとも一部が表示時間に含まれる疾患情報のリストを表示させ、かつ対応診療項目情報に基づいて、疾患情報のリストのうちの少なくとも１つの選択された疾患情報に対応づけられた診療項目の診療データを取得して時系列に表示させる表示制御部とを備え、その表示制御部が、表示期間が変更された場合には、その変更後の表示期間に罹患期間の少なくとも一部が含まれる疾患情報のリストに変更して表示させるものであることを特徴とする。
【００１１】
また、本発明の診療情報表示制御装置においては、表示制御部を、表示期間が変更された場合に、その変更前に予め選択されていた疾患情報については、罹患期間が変更後の表示期間に含まれていなくとも疾患リストに表示を継続するものとできる。
【００１２】
また、表示制御部を、表示期間指定受付部によって表示期間の変更操作が受け付けられ、その変更操作に応じて表示期間の時間軸表示を変更している間、疾患情報のリストについては、変更後の表示期間に対応する疾患情報のリストに変更して表示し、診療データについては、表示期間の変更操作の受け付け前に予め選択されていた疾患情報に対応する診療項目の診療データのみを時系列に表示させ、かつ表示期間の変更操作に応じてその変更後の表示期間に対応する診療データを表示させるものとできる。
【００１３】
また、複数の疾患情報をリスト表示させる場合、複数の疾患情報のそれぞれ対して優先順位を設定する優先順位設定部を設け、表示制御部を、優先順位に基づいて複数の疾患情報をリスト表示させるものとできる。
【００１４】
また、表示制御部を、優先順位設定部によって優先順位が設定された複数の疾患情報のうち、最上位の疾患情報および最上位から予め設定された順位までの疾患情報を自動的に選択し、その選択した疾患情報に関連する診療項目の診療データを表示させるものとできる。
【００１５】
また、表示制御部によってリスト表示された疾患情報のうちの少なくとも１つの疾患情報の選択を受け付ける疾患情報選択受付部を設け、表示制御部を、疾患情報選択受付部によって受け付けられた疾患情報に対応付けられた診療項目の診療データを表示させるものとできる。
【００１６】
また、優先順位設定部を、複数の疾患情報のそれぞれについて、関連する診療項目の項目数の情報を取得し、その項目数に基づいて疾患情報の優先順位を設定するものとできる。
【００１７】
また、優先順位設定部を、複数の疾患情報のそれぞれについて、関連する診療項目の診療データの取得回数の情報を取得し、その取得回数に基づいて疾患情報の優先順位を設定するものとできる。
【００１８】
また、優先順位設定部を、複数の疾患情報のそれぞれについて、関連する診療項目の診療データの表示回数の情報または表示時間の情報を取得し、その表示回数が多いまたは表示時間に基づいて疾患情報の優先順位を設定するものとできる。
【００１９】
また、優先順位設定部を、患者の入院期間の情報を取得し、複数の疾患情報のうち、入院期間に該当する疾患情報の優先順位を高く設定するものとできる。
【００２０】
また、優先順位設定部が、ユーザが属する所属診療科情報を取得し、複数の疾患情報のうち、所属診療科情報に関連する疾患情報の優先順位を高く設定するものとできる。
【００２１】
また、罹患期間を、疾患情報の開始から完了までの期間または疾患情報に関連する入院期間として設定することができる。
【００２２】
本発明の診療情報表示制御方法は、患者の疾患情報およびその疾患情報の罹患期間の情報を取得し、診療項目の診療データを表示させる表示期間の情報の指定を受け付け、罹患期間の少なくとも一部が表示時間に含まれる疾患情報のリストを表示させ、かつ疾患情報のリストのうちの少なくとも１つの疾患情報に対応づけられた診療項目の診療データを取得して時系列に表示させ、さらに表示期間が変更された場合には、その変更後の表示期間に罹患期間の少なくとも一部が含まれる疾患情報のリストに変更して表示させることを特徴とする。
【００２３】
本発明の診療情報表示制御プログラムは、コンピュータを、患者の疾患情報およびその疾患情報の罹患期間の情報を取得する疾患情報取得部と、疾患情報とその疾患情報に関連する診療項目とを対応づけた対応診療項目情報が記憶された対応診療項目情報記憶部と、診療項目の診療データを表示させる表示期間の情報の指定を受け付ける表示期間指定受付部と、罹患期間の少なくとも一部が表示時間に含まれる疾患情報のリストを表示させ、かつ対応診療項目情報に基づいて、疾患情報のリストのうちの少なくとも１つの疾患情報に対応づけられた診療項目の診療データを取得して時系列に表示させる表示制御部として機能させる診療情報表示制御プログラムであって、表示制御部が、表示期間が変更された場合には、その変更後の表示期間に罹患期間の少なくとも一部が含まれる疾患情報のリストに変更して表示させるものであることを特徴とする。
【発明の効果】
【００２４】
本発明の診療情報表示制御方法および装置並びにプログラムによれば、診療データを表示させる表示期間の情報の指定を受け付け、その表示時間に罹患期間の少なくとも１部が含まれる疾患情報のリストを表示させ、さらにその疾患情報のリストのうちの少なくとも１つの疾患情報に対応づけられた診療項目の診療データを取得して時系列に表示させるようにしたので、指定された表示期間に罹患期間が含まれる特定の疾患に関連する診療データを即座に表示させることができ、また、表示期間の変更に応じて疾患情報のリストも変更するようにしたので、現在罹患している疾患だけでなく、過去に罹患した疾患に関連する診療データも簡便な操作で即座に表示させることができる。
【図面の簡単な説明】
【００２５】
【図１】本発明の診療情報表示制御装置の第１の実施形態を用いた診療情報表示システムの概略構成を示すブロック図
【図２】診療情報表示画面の一例を示す図
【図３】図１に示す診療情報表示システムの作用を説明するためのフローチャート
【図４】本発明の診療情報表示制御装置の第２の実施形態を用いた診療情報表示システムの概略構成を示すブロック図
【図５】疾患情報とその疾患情報の罹患期間情報との一例を示す図
【図６】罹患期間情報に基づいて優先順位を設定する場合を説明するための図
【図７】各疾患情報に関連する診療項目の一例を示す図
【図８】各疾患情報に関連する診療項目の診療データの取得回数の一例を示す図
【図９】各疾患情報に関連する診療項目の診療データの表示時間の一例を示す図
【図１０】入院期間に基づいて疾患情報に優先順位を設定する方法の一例を説明するための図
【図１１】所属診療科と疾患情報とを対応付けたテーブルの一例を示す図
【発明を実施するための形態】
【００２６】
以下、本発明の診療情報表示制御装置および方法並びにプログラムの第１の実施形態を用いた診療情報表示システムについて、図面を参照しながら詳細に説明する。図１は、本実施形態の診療情報表示システム１の概略構成を示すブロック図である。
【００２７】
本実施形態の診療情報表示システム１は、図１に示すように、診療情報表示制御装置１０と、診療科端末２０と、電子カルテ保管サーバ３０と、検査データ管理サーバ４０と、画像診断システム５０とを備え、これらは、たとえば有線または無線ＬＡＮや、インターネット回線などのネットワークを介して接続されている。
【００２８】
診療情報表示制御装置１０は、診療科端末２０において入力された患者の識別情報を受け付け、その患者に関する診療情報を電子カルテ保管サーバ３０、検査データ管理サーバ４０および画像診断システム５０からそれぞれ収集し、その収集した情報を統合した診療情報表示画面を生成して診療科端末２０のモニタ２１に表示させるものである。
【００２９】
具体的には、診療情報表示制御装置１０は、図１に示すように、診療情報記憶部１１と、疾患情報取得部１２と、対応診療項目情報記憶部１３と、疾患情報選択受付部１４と、表示期間指定受付部１５と、表示制御部１６とを備えている。
【００３０】
診療情報表示制御装置１０は、コンピュータに本発明の診療情報表示制御プログラムの一実施形態をインストールしたものである。そして、中央処理装置（ＣＰＵ）によって上記診療情報表示制御プログラムが実行されることによって上述した診療情報記憶部１１と、疾患情報取得部１２と、対応診療項目情報記憶部１３と、疾患情報選択受付部１４と、表示期間指定受付部１５と、表示制御部１６とが機能する。上記診療情報表示制御プログラムは、ＣＤ−ＲＯＭなどの記録媒体に記録されたものを用いてもよいし、インターネットを経由してサーバなどからダウンロードしたものを用いてもよいし、インターネットを介してＳａａＳ（Software as a Service）によって提供されるものを用いてもよい。
【００３１】
診療情報記憶部１１は、ハードディスクなどのストレージデバイスを備えたものであり、診療科端末２０から入力された識別情報によって特定された患者の診療情報が記憶されるものである。患者の識別情報とその患者の診療情報とは紐付けされて管理されており、その患者の識別情報に基づいて、電子カルテ保管サーバ３０、検査データ管理サーバ４０および画像診断システム５０から診療情報が読み出されて診療情報記憶部１１に記憶される。
【００３２】
診療情報としては、患者の名前、年齢、性別などといった基本情報と、患者の疾患の種類を示す疾患情報と、患者が疾患に罹患している期間を示す罹患期間情報と、投薬量、点滴量、検体検査データ、バイタル、放射線画像、超音波画像などの種々の診療データとがある。なお、診療データは、患者の診断や治療を目的として取得されたデータであれば如何なるものでもよい。また、診療データは、数値や画像情報だけでなく、数値以外のテキスト（文字列）で表されるデータでもよい。このようにテキストで表される診療データとしては、たとえば、検査の「有」、「無」を表す診療データや、検査結果が「良」であるか「悪」であるかを表す診療データなどがある。
【００３３】
診療情報に含まれる基本情報、疾患情報および罹患期間情報は、電子カルテ保管サーバ３０における患者の電子カルテから読み出されるものであるが、必ずしも電子カルテから取得しなくてもよく、その他のサーバなどにおいてこれらの情報を管理しておき、そのサーバから取得するようにしてもよい。
【００３４】
また、疾患情報は、現時点において患者が罹患している疾患情報に限らず、過去に患者が罹患した疾患情報も含む。そして、その各疾患情報に対してそれぞれ罹患期間情報が設定されているものとする。本実施形態における罹患期間情報は、各疾患の開始（発症）から完了（完治）までの期間を示す情報であり、疾患の開始（発症）時と完了（完治）時は、ユーザによって疾患情報とともに予め設定されるものである。
【００３５】
診療情報に含まれる診療データは、たとえば投薬量、点滴量およびバイタルなどは電子カルテ保管サーバ３０における電子カルテ内から読み出され、検体検査データなどの検査データは検査データ管理サーバ４０から読み出され、画像情報は画像診断システム５０の画像管理サーバ５１から読み出されるものである。ただし、これに限らず、その他のサーバなどに保存された診療データを取得するようにしてもよい。
【００３６】
疾患情報取得部１２は、診療情報に含まれる患者の疾患情報およびその疾患の罹患期間情報を取得し、これらの情報を表示制御部１６に出力するものである。
【００３７】
対応診療項目情報記憶部１３は、患者の疾患情報とその疾患情報に関連する診療項目とを対応付けたテーブルが予め記憶されたものである。疾患情報に関連する診療項目としては、その疾患の進行状況を把握するために必要な検査項目や、その疾患を治療するために必要な投薬や点滴などの項目などがある。なお、疾患情報に関連する診療項目の具体的な例については、後で詳述する。
【００３８】
表示制御部１６は、識別情報によって特定された患者の疾患情報のリストを診療情報表示画面に表示させるものである。具体的には、本実施形態の表示制御部１６は、疾患情報取得部１２から出力された患者の疾患情報およびその疾患情報の罹患期間情報を取得し、その疾患情報のうち、その罹患期間の少なくとも一部が、診療データを表示させる表示期間に含まれる疾患情報を抽出してリスト表示するものである。
【００３９】
本実施形態においては、初期の表示期間は、現時点から予めユーザによって設定された過去の時点までの期間に設定され、たとえば現時点から１か月前や３か月前などの過去の時点までの期間が初期の表示期間として設定される。したがって、表示制御部１６は、まず、初期の表示期間内に罹患期間の少なくとも一部が含まれる疾患情報を抽出し、その疾患情報をリスト表示するものである。初期の表示期間の間に、現在罹患している疾患以外の疾患に罹患していない場合には、現在罹患している疾患情報のみが表示されることになる。
【００４０】
また、表示制御部１６は、対応診療項目情報記憶部１３に記憶されているテーブルを参照し、現在表示している疾患情報のリストのうちの少なくとも１つの疾患情報に対応付けられた診療項目を特定し、その特定した診療項目の診療データを取得して時系列に診療情報表示画面に表示させるものである。
【００４１】
疾患情報選択受付部１４は、上述したように表示制御部１６によって表示された疾患情報の中から少なくとも１つの疾患情報の選択を受け付けるものである。表示制御部１６は、疾患情報選択受付部１４において受け付けられた疾患情報を取得し、その疾患情報に対応付けられた診療項目の診療データを診療情報記憶部１１から読み出して取得し、その診療データを診療情報表示画面に表示させるものである。
【００４２】
表示期間指定受付部１５は、診療データの表示期間の指定を受け付けるものである。具体的には、表示期間指定受付部１５は、上述した初期の表示期間とは異なる表示期間の指定を受け付けるものであり、表示期間指定受付部１５によって受け付けられた表示期間は、表示制御部１６に出力される。
【００４３】
表示制御部１６は、表示期間が変更された場合には、その変更後の表示期間に罹患期間の少なくとも一部が含まれる疾患情報を特定し、現在表示されている疾患情報のリストからその特定した疾患情報のリストに変更して表示させるものである。
【００４４】
そして、必要に応じて、変更後の疾患情報のリストのうちの少なくとも１つの疾患情報がユーザによって選択され、疾患情報選択受付部１４によってその選択情報が受け付けられる。表示制御部１６は、疾患情報選択受付部１４において受け付けられた疾患情報を再び取得し、その疾患情報に対応付けられた診療項目の診療データを診療情報記憶部１１から読み出して取得し、その診療データを診療情報表示画面に表示させるものである。
【００４５】
次に、表示制御部１６によって診療科端末２０のモニタ２１に表示される診療情報表示画面について説明する。図２は、診療情報表示画面の一例を示すものである。
【００４６】
診療情報表示画面は、図２に示すように、基本情報表示欄Ｒ１と、疾患情報リスト表示欄Ｒ２と、診療データ取得期間表示欄Ｒ３と、診療データ表示欄Ｒ４と、診療項目リスト表示欄Ｒ５とを備えている。
【００４７】
基本情報表示欄Ｒ１は、患者の識別情報（患者ＩＤ）、名前、年齢、性別などの基本情報が表示される欄である。
【００４８】
疾患情報リスト表示欄Ｒ２は、上述したように疾患情報取得部１２によって取得された患者の疾患情報のうち、その罹患期間の少なくとも一部が、予め設定された診療データの表示期間またはユーザによって指定された診療データの表示期間に含まれる疾患情報がリスト表示される欄である。疾患情報リスト表示欄Ｒ２には、各疾患情報について、それぞれ疾患の開始（発症）の日時と完了（完治）の日時とが表示される。現時点において患者が罹患している疾患情報については、完了（完治）の日時が設定されていないので、疾患の開始（発症）の日時のみが表示される。
【００４９】
また、疾患情報リスト表示欄Ｒ２には、各疾患情報について、それぞれチェックボックスが表示される。このチェックボックスがユーザによってチェックされることによって、疾患情報リストの中から診療データの表示対象の疾患情報が選択され、その選択情報が、上述した疾患情報選択受付部１４によって取得される。
【００５０】
診療データ取得期間表示欄Ｒ３は、識別情報によって特定された患者について、診療データが取得された期間の概略が表示される欄である。診療データ取得期間表示欄Ｒ３の横軸は時間軸を示しており、右端が現在の日時を示している。診療データ取得期間表示欄Ｒ３には、基本的には診療データが存在する期間が、横方向に延びる棒状のグラフとして表示されるが、ここでは概略表示を行うため、診療データが存在しない期間が予め設定された期間よりも短い場合には、その期間も診療データが存在する期間と仮定して連続した棒状のグラフが表示される。
【００５１】
また、診療データ取得期間表示欄Ｒ３は、診療データが表示される診療データ表示欄Ｒ４の横軸の表示期間の指定を受け付ける欄である。図２に示すように、診療データ取得期間表示欄Ｒ３において、ユーザによって矩形領域ＴＲが入力され、この矩形領域ＴＲの左端の時点から右端の時点までの期間が診療データの表示期間として指定される。そして、診療データ取得期間表示欄Ｒ３において指定された表示期間が、診療データ表示欄Ｒ４の横軸の表示期間のスケールとして設定される。具体的には、診療データ取得期間表示欄Ｒ３の矩形領域ＴＲの左端の時点が、診療データ表示欄Ｒ４の左端の時点に設定され、矩形領域ＴＲの右端の時点が、診療データ表示欄Ｒ４の右端の時点に設定される。すなわち、矩形領域ＴＲの位置がユーザによって変更されることによって、診療データ表示欄Ｒ４の表示期間の時間軸表示が変更される。上述した表示期間指定受付部１５は、この表示期間の変更操作を受け付けるものである。
【００５２】
これによりユーザは、診療データ表示欄Ｒ４の診療データの表示期間を任意に変更することができる。なお、本実施形態においては、上述したように診療データ取得期間表示欄Ｒ３において矩形領域ＴＲを設定することによって表示期間を指定するようにしたが、これに限らず、たとえばスクロールバーを設け、そのスクロールバーによって診療データ表示欄Ｒ４を横方向にスクロールすることによって表示期間を変更可能としてもよいし、診療データ表示欄Ｒ４を横方向に広げることによって表示期間を変更可能としてもよい。
【００５３】
診療項目リスト表示欄Ｒ５は、疾患情報リスト表示欄Ｒ２においてユーザによって選択された疾患情報に関連する診療項目が表示される欄である。疾患情報に関連する診療項目は、対応診療項目情報記憶部１３から読み出され、表示制御部１６によって診療項目リスト表示欄Ｒ５に表示される。
【００５４】
診療データ表示欄Ｒ４は、診療項目リスト表示欄Ｒ５に表示された診療項目の診療データが表示される欄であり、数値データ表示欄Ｒ４１と、投薬期間表示欄Ｒ４２と、画像情報表示欄Ｒ４３とから構成されている。
【００５５】
数値データ表示欄Ｒ４１は、数値データで取得される検体検査データや、バイタルデータや、血液検査データなどを表示する欄であり、図２に示すように、数値データをグラフとして表示することができる。なお、このようなグラフ表示ではなく、数値データをテキストで表として表示することも可能である。グラフ表示と表の表示とはユーザによって切替可能である。
【００５６】
また、診療項目リスト表示欄Ｒ５に表示された各診療項目は、ユーザによって選択可能であり、この欄で選択された診療項目の診療データは、診療データ表示欄Ｒ４において強調表示される。ユーザによって診療項目が選択された際には、その診療項目のセルは、たとえばカラー表示など、その他のセルと異なる形態で表示される。そして、その選択された診療項目の診療データのグラフはカラー表示され、その他の診療項目の診療データは薄いグレーで表示されるなどして強調表示される。
【００５７】
また、投薬期間表示欄Ｒ４２は、投薬量や点滴量の数値データをテキストで表示するとともに、その投薬や点滴が行われた期間を横方向の延びる線分で表示する。
【００５８】
また、画像情報表示欄Ｒ４３は、画像情報を表示する欄であり、画像情報のモダリティを示すテキストと画像情報のサムネイルとを表示することができる。このサムネイルが表示される位置は、その画像情報が取得された時点を表している。画像情報表示欄Ｒ４３に表示されたサムネイルをユーザが選択した際には、その元の画像が別の画面上に表示される。
【００５９】
診療科端末２０は、モニタとキーボードおよびマウスなどの入力装置とを備えたものである。診療科端末２０のモニタは、図２に示す診療情報表示画面を表示するものである。また、診療科端末２０のキーボードおよびマウスは、患者の識別情報の入力や、診療データの表示期間の入力や、疾患情報リスト表示欄Ｒ２におけるチェックボックスの指定入力など、ユーザによる種々の入力を受け付けるものである。
【００６０】
電子カルテ保管サーバ３０は、複数の患者の電子カルテを管理するものである。電子カルテ保管サーバ３０には、複数の患者の電子カルテが患者の識別情報と紐付けされて保管されている。電子カルテ保管サーバ３０は、診療科端末２０において入力された患者の識別情報を取得し、その識別情報に紐付けされた電子カルテの情報を診療情報表示制御装置１０に出力するものである。電子カルテには、上述したように患者の基本情報や、投薬および点滴の薬剤の種類や量、投薬期間、バイタルの情報、疾患情報、疾患情報の罹患期間情報などの情報が含まれている。
【００６１】
検査データ管理サーバ４０は、複数の患者の検体検査データや血液検査データなどの検査データを管理するものである。検査データ管理サーバ４０には、各患者の複数の診療項目の検査データが患者の識別情報と紐付けされて保管されている。検査データ管理サーバ４０は、診療科端末２０において入力された患者の識別情報を取得し、その識別情報に紐付けされた検査データを診療情報表示制御装置１０に出力するものである。なお、検査データは、一旦電子カルテに出力して、電子カルテで保管される形態もある。この場合は、電子カルテから検査データが診療情報表示制御装置１０に出力される。
【００６２】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などの画像情報が患者の識別情報と紐付けされて保管されている。また、読影レポートサーバ５２には、放射線画像などを観察して医師が作成した読影レポートが保管されており、この読影リポートは画像管理サーバ５１に保管された画像情報と紐付けされて保管されている。画像診断システム５０は、診療科端末２０において入力された患者の識別情報を取得し、その識別情報に紐付けされた画像情報やそのモダリティの情報やその読影レポートを診療情報表示制御装置１０に出力するものである。
【００６３】
次に、本実施形態の診療情報表示システム１の作用について、図３に示すフローチャートを参照しながら説明する。
【００６４】
まず、診療科端末２０において、ユーザによって診療データ表示制御プログラムが起動され、モニタ２１に図２に示す診療情報表示画面が表示される（Ｓ１０）。
【００６５】
次に、診療科端末２０において、患者の識別情報が入力され、その患者の識別情報は、診療情報表示制御装置１０の表示制御部１６によって取得される（Ｓ１２）。
【００６６】
表示制御部１６は、入力された患者の識別情報に基づいて、電子カルテ保管サーバ３０や検査データ管理サーバ４０や画像診断システム５０から、その患者の基本情報、疾患情報、疾患情報の罹患期間情報、診療データなどの診療情報を読み出して取得し、その取得した診療情報を診療情報記憶部１１に一旦記憶する（Ｓ１４）。
【００６７】
そして、表示制御部１６によって診療情報記憶部１１から患者の基本情報が読み出され、診療情報表示画面の基本情報表示欄Ｒ１に基本情報が表示される。
【００６８】
また、疾患情報取得部１２によって、患者の疾患情報およびその疾患情報の罹患期間情報が取得され、表示制御部１６に出力される。なお、このとき患者の疾患情報が未登録であり、診療情報記憶部１１に疾患情報が何も記憶されていない場合には、ユーザによって患者の疾患情報が設定入力され、新たな疾患情報とその疾患情報の罹患期間情報が追加登録される。そして、その新しい疾患情報と罹患期間情報が表示制御部１６に出力される。
【００６９】
表示制御部１６は、入力された疾患情報の罹患期間と、予め設定されている初期の診療データの表示期間とを比較し、罹患期間の少なくとも一部が表示期間に含まれる疾患情報を特定し、その特定した疾患情報を診療情報画面の疾患情報リスト表示欄Ｒ２にリスト表示させる（Ｓ１６）。
【００７０】
次いで、疾患情報リスト表示欄Ｒ２に表示された疾患情報のリストの中から、ユーザによって少なくとも１つの疾患情報のチェックボックスがチェックされて選択される（Ｓ１８）。疾患情報が選択されると、その選択情報が診療情報選択受付部１４によって受け付けられて表示制御部１６に出力される。
【００７１】
表示制御部１６は、入力された疾患情報の選択情報に基づいて、対応診療項目情報記憶部１３に記憶されているテーブルを参照し、選択された疾患情報に関連する診療項目の情報を取得する。そして、表示制御部１６は、その取得した疾患情報に関連する診療項目を診療情報表示画面の診療項目リスト表示欄Ｒ５に表示させる（Ｓ２０）。また、表示制御部１６は、診療項目リスト表示欄Ｒ５に表示された診療項目の診療データを診療情報記憶部１１から読み出し、その診療データを診療データ表示欄Ｒ４に表示させる（Ｓ２２）。このとき診療データ表示欄Ｒ４の横軸は、初期の表示期間に設定されている。
【００７２】
また、表示制御部１６は、診療情報記憶部１１に記憶されている診療情報に基づいて、患者の診療データが取得された期間を取得し、その取得した期間に基づいて、診療データ取得期間表示欄Ｒ３に診療データが取得された期間の概略を表示させる。
【００７３】
次いで、ユーザが、現在表示されている診療データとは異なる過去の疾患情報に関連する診療データを観察したいと思った場合には、ユーザによって診療データ取得期間表示欄Ｒ３に表示されている矩形領域ＴＲの位置が変更されることによって表示期間の変更操作が行われ、これにより所望の過去の表示期間に設定変更される（Ｓ２４，ＹＥＳ）。
【００７４】
ユーザによって表示期間の変更があった場合には、表示制御部１６は、診療情報記憶部１１に記憶されている患者の疾患情報の罹患期間と、変更後の表示期間とを比較し、罹患期間の少なくとも一部が表示期間に含まれる疾患情報を特定し、現在、疾患情報リスト表示欄Ｒ２に表示されている疾患情報のリストからその特定した疾患情報のリストに変更して表示させる（Ｓ２６）。
【００７５】
次いで、疾患情報リスト表示欄Ｒ２に表示された疾患情報のリストの中から、再び、ユーザによって少なくとも１つの疾患情報のチェックボックスがチェックされて選択される（Ｓ１８）。疾患情報が選択されると、その選択情報が診療情報選択受付部１４によって受け付けられて表示制御部１６に出力される。
【００７６】
表示制御部１６は、入力された疾患情報の選択情報に基づいて、再び、対応診療項目情報記憶部１３に記憶されているテーブルを参照し、選択された疾患情報に関連する診療項目の情報を取得する。そして、表示制御部１６は、その取得した疾患情報に関連する診療項目を診療情報表示画面の診療項目リスト表示欄Ｒ５に表示させる（Ｓ２０）。また、表示制御部１６は、診療項目リスト表示欄Ｒ５に表示された診療項目の診療データを診療情報記憶部１１から読み出し、その診療データを診療データ表示欄Ｒ４に表示させる（Ｓ２２）。このとき診療データ表示欄Ｒ４の横軸は、変更後の表示期間に設定されている。
【００７７】
なお、表示期間の変更操作が受け付けられた後、ステップ１８（Ｓ１８）において疾患情報のチェックボックスがチェックされて例えば過去の時点の疾患情報が選択されるまでは、診療データ表示欄Ｒ４の横軸は変更後の表示期間に設定されて表示され、診療データとしては、それまで選択されていた疾患情報に基づく診療データであって、変更後の表示期間の診療データが表示される。この診療データの表示更新は、診療データ取得期間表示欄Ｒ３において矩形領域ＴＲを設定して表示期間を変更する操作に連動してリアルタイムに行われる。
【００７８】
このように診療データの表示更新を行うことによって、表示期間の変更操作中に選択した過去の時点で罹患していた疾患が何であったかの情報と、既に選択されている現時点の疾患に関連する診療項目の診療データの過去の時点における状態とを同時に見ることができ、過去の疾患と現在の疾患に対する関係性を見ることができ診療に有益である。
【００７９】
一方、ユーザによる表示期間の変更がなく（Ｓ２４，ＮＯ）、診療情報表示制御プログラムの終了指示が入力された場合には（Ｓ２８，ＹＥＳ）、そのまま処理を終了する。
【００８０】
本実施形態の診療情報表示システム１によれば、診療データを表示させる表示期間の情報の指定を受け付け、その表示時間に罹患期間の少なくとも１部が含まれる疾患情報のリストを表示させ、さらにその疾患情報のリストのうちの少なくとも１つの疾患情報に対応づけられた診療項目の診療データを取得して時系列に表示させるようにしたので、指定された表示期間に罹患期間が含まれる特定の疾患に関連する診療データを即座に表示させることができる。
【００８１】
また、表示期間の変更に応じて疾患情報のリストも変更するようにしたので、現在罹患している疾患だけでなく、過去に罹患した疾患に関連する診療データも即座に表示させることができる。また、疾患情報リスト表示欄Ｒ２の疾患情報は、表示期間を選択する表示期間変更操作とともにリアルタイムに表示更新されるが、診療項目リスト表示欄Ｒ５や診療データ表示欄Ｒ４は疾患情報リスト表示欄Ｒ２で過去の疾患が選択されるまでは（表示期間の変更中）、現時点で選択されている疾患情報に関連する診療データが、その表示期間の変更に応じてスクロール表示され続ける。このため表示期間の変更とともに表示される診療データが過度に切り替わることを避けることができ、過去の疾患を確認しつつもユーザの目に負荷をかけるようなこともなく使い勝手が良い。
【００８２】
次に、本発明の診療情報表示制御装置および方法並びにプログラムの第２の実施形態を用いた診療情報表示システムについて、図面を参照しながら詳細に説明する。図４は、本実施形態の診療情報表示システム２の概略構成を示すブロック図である。
【００８３】
第２の実施形態の診療情報表示システム２は、第１の実施形態の診療情報表示システム１とは、疾患情報リスト表示欄Ｒ２における疾患情報のリスト表示の方法が異なるものである。第２の実施形態の診療情報表示システム２は、複数の疾患情報をリスト表示する際、その複数の疾患情報に対して優先順位を設定し、その設定した優先順位に応じて複数の疾患情報をリスト表示するものである。その他の構成および作用は、第１の実施形態の診療情報表示システム１と同様である。
【００８４】
具体的には、第２の実施形態の診療情報表示システム２は、図４に示すように、複数の疾患情報のそれぞれに対して優先順位を設定する優先順位設定部１７を備えており、表示制御部１６は、優先順位設定部１７において各疾患情報に対して設定された優先順位に基づいて、複数の疾患情報をリスト表示させる。
【００８５】
優先順位に基づく複数の疾患情報のリスト表示の方法としては、たとえば、優先順位が高い順に疾患情報リスト表示欄Ｒ２の上から下に複数の疾患情報をリスト表示させるようにすればよい。または、これとは逆に、優先順位が高い順に疾患情報リスト表示欄Ｒ２の下から上に複数の疾患情報をリスト表示させるようにしてもよい。また、各疾患情報に対してその優先順位に応じた数字をテキスト表示するようにしてもよい。
【００８６】
また、上述したように疾患情報の表示位置によって優先順位を表すのではなく、疾患名のテキスト（文字列）の色を疾患情報毎に変更することによって優先順位を表してもよいし、疾患名が表示されるセルの色を疾患情報毎に変更することによって優先順位を表すようにしてもよい。すなわち、各疾患情報の優先順位をユーザが認識できる表示方法であれば、如何なる表示方法を採用するようにしてもよい。
【００８７】
このように優先順位に応じて複数の疾患情報をリスト表示することによって、ユーザが診療データの表示対象の疾患情報を容易に選択することができ、診断効率の向上を図ることができる。また、第１の実施形態と同様に、疾患単位で診療データを要約して管理し、かつ画面をスクロールして表示期間変更中は疾患リストのみを表示更新することによって、現在と過去の疾患の関係性を把握しつつ、診療データの過度な表示切替を防いで画面のチラツキも抑えた使い勝手の良いシステムを提供できる。
【００８８】
次に、上述した優先順位設定部１７における複数の疾患情報に対する優先順位の設定方法について、具体的に説明する。
【００８９】
優先順位の設定方法の１つとして、たとえば、複数の疾患情報の罹患期間情報に基づいて優先順位を設定する方法がある。具体的には、たとえば、開始（発症）時点が現時点に近い順に優先順位を設定することができる。
【００９０】
患者（患者ＩＤ：10000001）の疾患情報およびその疾患情報の罹患期間情報が、図５の表に示すように設定され、ユーザによって指定された診療データの表示期間が2008年１月１日から過去3か月の期間である場合、患者（患者ＩＤ：10000001）の各疾患情報と罹患期間情報との関係は、図６に示すような関係となる。したがって、まず、リスト表示対象の疾患情報として、その罹患期間の少なくとも一部が上記表示期間に含まれる「糖尿病」「肺癌」「慢性腎臓病」が特定される。そして、これらの疾患情報に対して、開始（発症）時点が現時点に近い順に優先順位を設定すると、「慢性腎臓病」および「肺癌」が同じ優先順位となって「糖尿病」よりも高い優先順位が設定され、「糖尿病」に低い優先順位が設定される。
【００９１】
「慢性腎臓病」と「肺癌」との優先順位については、たとえば、さらにこれらの疾患情報が設定登録された時点が現時点に近い順に優先順位を設定するようにすればよい。図５に示す表の疾患情報が上から下に順に設定登録されたとすると、「慢性腎臓病」に対して最も高い優先順位が設定され、「肺癌」に対してその次の優先順位が設定される。結果として、「慢性腎臓病」が最も優先順位が高く、次に「肺癌」、そして最後に「糖尿病」となる。
【００９２】
なお、疾患情報の罹患期間情報に基づく優先順位の設定方法は、上記の方法に限らず、たとえば、開始（発症）時点が現時点から遠い順に優先順位を設定するようにしてもよいし、その他、ユーザによって予め設定された優先順位の設定方法としてもよい。
【００９３】
また、上記の罹患期間情報に基づく優先順位の設定方法に限らず、たとえば、優先順位設定部１７が、複数の疾患情報のそれぞれについて、関連する診療項目の項目数を取得し、その項目数が多いほど高い優先順位を設定するようにしてもよい。
【００９４】
具体的には、たとえば、図７に示すように各疾患情報に対して、それぞれ関連する診療項目が対応づけられている場合、まず、「肺癌」については、「投薬」に関する診療項目が３項目、「バイタル」に関する診療項目が２項目、「血液検査」に関する診療項目が５項目であるので、これらの合計値である１０項目が、優先順位を設定する際の評価値として取得される。また、「慢性腎臓病」については、「投薬」に関する診療項目が４項目、「バイタル」に関する診療項目が１項目、「尿検査」に関する診療項目が３項目であるので、これらの合計値である８項目が評価値として取得される。また、「糖尿病」については、「投薬」に関する診療項目が２項目、「血液検査」に関する診療項目が２項目であるので、これらの合計値である４項目が評価値として取得される。
【００９５】
そして、上述したようにして取得した評価値に基づいて、評価値が大きい順に優先順位を設定した場合には、「肺癌」に対して最も高い優先順位が設定され、「慢性腎臓病」に対してその次の優先順位が設定され、「糖尿病」に対して最も低い優先順位が設定される。なお、逆に評価値が小さい順に優先順位を設定するようにしてもよい。
【００９６】
また、上記説明では、項目数をそのまま評価値としたが、たとえば各診療項目の重要度に応じて重み付けをして評価値を取得するようにしてもよい。
【００９７】
また、優先順位設定部１７が、複数の疾患情報のそれぞれについて、関連する診療項目の診療データの取得回数の情報を取得し、その取得回数が多い疾患情報ほど優先順位を高く設定するようにしてもよい。
【００９８】
たとえば、図８に示すように、「肺癌」に関連する診療項目が「投薬」と「バイタル」と「血液検査」である場合には、「投薬」の処方回数１０回と「バイタル」の検査日数２０日と「血液検査」の検査数２２回が取得され、これらの合計値５２回が、優先順位を設定する際の評価値として取得される。なお、図７に示す処方回数、検査日および検査回数は、ユーザが指定した表示期間、すなわち2008年１月１日から過去3か月の期間に取得された回数である。
【００９９】
また、「慢性腎臓病」についても、「肺癌」と同様に、「投薬」の処方回数、「バイタル」の検査日数および「尿検査」の検査数の合計値３３回が評価値として取得され、「糖尿病」についても、「投薬」の処方回数、「バイタル」の検査日数および「血液検査」の検査数の合計値１１回が評価値１１として取得される。
【０１００】
そして、上述したようにして取得した評価値に基づいて、評価値が大きい順に優先順位を設定した場合には、「肺癌」に対して最も高い優先順位が設定され、「慢性腎臓病」に対してその次の優先順位が設定され、「糖尿病」に対して最も低い優先順位が設定される。なお、逆に評価値が小さい順に優先順位を設定するようにしてもよい。
【０１０１】
また、上記説明では、取得回数をそのまま評価値としたが、たとえば各診療項目の重要度に応じて重み付けをして評価値を取得するようにしてもよい。
【０１０２】
また、優先順位設定部１７が、複数の疾患情報のそれぞれについて、関連する診療項目の診療データの表示回数の情報または表示時間の情報を取得し、その表示回数が多いまたは表示時間が長い疾患情報ほど優先順位を高く設定するようにしてもよい。診療データの表示回数とは、ユーザが診療情報表示プログラムを起動して診療情報表示画面に診療データを表示させた回数であり、診療データの表示時間とは、診療情報表示画面に診療データを表示した時間であり、これらは診療データが表示される度に優先順位設定部１７に記録されているものとする。
【０１０３】
そして、たとえば、図９に示すように、患者（患者ＩＤ：10000001）について、「肺癌」に関連する診療項目の診療データを表示した時間と、「糖尿病」に関連する診療項目の診療データを表示した時間と、「慢性腎臓病」に関連する診療項目の診療データを表示時間とをそれぞれ取得して比較し、その比較結果に基づいて優先順位を設定するようにすればよい。
【０１０４】
具体的には、表示時間が長い順に優先順位を設定した場合には、「肺癌」の表示時間の合計値は４３分であり、「糖尿病」の表示時間の合計値は５分であり、「慢性腎臓病」の表示時間の合計値は３分であるので、「肺癌」に対して最も高い優先順位が設定され、「糖尿病」に対してその次の優先順位が設定され、「慢性腎臓病」に対して最も低い優先順位が設定される。
【０１０５】
また、診療データの表示回数に基づいて、表示回数が多い順に優先順位を設定した場合には、「肺癌」の表示回数は６回であり、「糖尿病」の表示回数は３回であり、「慢性腎臓病」の表示回数は２回であるので、「肺癌」に対して最も高い優先順位が設定され、「糖尿病」に対してその次の優先順位が設定され、「慢性腎臓病」に対して最も低い優先順位が設定される。
【０１０６】
また、逆に、表示時間が短い順または表示回数が少ない順に優先順位を設定するようにしてもよい。
【０１０７】
また、上記説明では、表示時間または表示回数をそのまま評価値としたが、たとえば各疾患情報の重要度に応じて重み付けをして評価値を取得するようにしてもよい。
【０１０８】
また、優先順位設定部１７が、患者の入院期間の情報を取得し、複数の疾患情報のうち、その罹患期間に上記入院期間が含まれる疾患情報の優先順位を高く設定するようにしてもよい。
【０１０９】
たとえば「肺癌」、「慢性腎臓病」および「糖尿病」の罹患期間のいずれかに患者の入院期間が含まれる場合には、その疾患情報の優先順位を高く設定するようにすればよい。なお、各疾患情報の罹患期間と入院期間とは必ずしも１対１で対応しているわけではなく、図１０に示すように、入院期間に、疾患情報Ａの他に疾患情報Ｂに罹患する場合もあり、また、最初は疾患情報Ａと診断していたが、その後、疾患情報Ｂに疾患名を変更する場合もある。したがって、複数の疾患情報の罹患期間に入院期間が含まれる場合には、入院期間の最後の退院時点における疾患情報の優先順位を高く設定することが望ましい。すなわち、図１０に示すような関係の場合、疾患情報Ａよりも疾患情報Ｂの方の優先順位を高く設定することが望ましい。なお、その他に入院期間を含まない疾患情報がある場合には、疾患情報Ａおよび疾患情報Ｂよりも低い優先順位が設定される。
【０１１０】
また、優先順位設定部１７が、医師などのユーザが属する所属診療科の情報を取得し、複数の疾患情報のうち、その所属診療科情報に関連する疾患情報の優先順位を高く設定するようにしてもよい。
【０１１１】
具体的には、優先順位設定部１７に対して、図１１に示すような、所属診療科情報と、その所属診療科情報に関連する疾患情報とを対応付けたテーブルを予め記憶しておき、優先順位設定部１７が、診療科端末２０において設定入力されたユーザの所属診療科情報に基づいて、上記テーブルを参照して優先順位を設定するようにすればよい。たとえば、「肺癌」と「糖尿病」に対して優先順位を設定する場合、ユーザによって設定入力された所属診療科の情報が「呼吸器外科」である場合には、「肺癌」に対して高い優先順位を設定し、「内科」である場合には、「糖尿病」に対して高い優先順位を設定するようにすればよい。
【０１１２】
また、上記実施形態においては、疾患情報リスト表示欄Ｒ２に表示された複数の疾患情報の中から、ユーザが所望の疾患情報を選択し、その選択された疾患情報に関連する診療項目の診療データを表示させるようにしたが、このようにユーザが所望の疾患情報を選択するのではなく、各疾患情報に設定された優先順位に基づいて、診療データの表示対象の疾患情報を自動的に選択するようにしてもよい。
【０１１３】
具体的には、たとえば、表示制御部１６が、優先順位が設定された複数の疾患情報のうち、最上位の疾患情報および最上位から予め設定された順位までの疾患情報を自動的に選択し、その選択した疾患情報に関連する診療項目の診療データを表示させるようにしてもよい。どの順位まで選択するかについては、ユーザによって任意に設定可能にしてもよい。
【０１１４】
なお、上記実施形態においては、罹患期間情報を、各疾患の開始（発症）から完了（完治）までの期間を示す情報としたが、これに限らず、各疾患情報に関連する入院期間を罹患期間情報としてもよい。すなわち、疾患情報取得部１２が、各疾患情報に関連する入院期間の情報を取得し、表示制御部１６が、入院期間の少なくとも一部が表示時間に含まれる疾患情報のリストを表示させるようにしてもよい。
【０１１５】
また、上記実施形態においては、表示期間が変更された場合、その変更後の表示期間に罹患期間の少なくとも一部が含まれる疾患情報のリストに変更して表示するようにしたが、この際、表示期間を変更する前に表示されている疾患情報リストの中から表示対象の疾患情報が選択済みである場合には、変更後の疾患情報リストの中にその選択済みの疾患情報も含めるようにしてもよい。すなわち、選択済みの疾患情報の罹患期間の少なくとも一部が、変更後の表示期間に含まれない場合においても、変更後の疾患情報リストに選択済みの疾患情報を含めるようにしてもよい。これにより、たとえば現在の疾患情報に関連する診療データと過去の疾患情報に関連する診療データとを比較することができる。また、これにより、選択中の疾患情報が何であったかを表示期間の変更とともにわからなくなることを防止することができる。
【０１１６】
なお、診療データの表示対象の疾患情報を自動的に選択して診療データの表示も自動更新する場合においては、変更後の疾患情報リストに選択済みの疾患情報を含めるだけでなく、診療データの中にも選択済みの診療データを含めて表示してもよい。この場合は、変更された表示期間における変更後の疾患に関連する診療データと、変更された表示期間における選択済みの診療データが同時に表示されることになるため、より選択した疾患と過去の疾患の関係性を把握しやすい。
【０１１７】
また、診療データの表示対象の疾患情報を自動的に選択して診療データの表示も自動更新する場合においては、画面のチラツキを抑えるために、表示期間の変更操作が完全に完了するまで（表示期間変更中）は、疾患リストのみ自動更新し、表示期間の変更操作が完全に完了した時点で診療データを自動的に更新するようにしても良い。表示期間の変更操作が完全に完了する時点とは、例えばマウスのクリックをして表示期間の選択が開始された後、クリックが解除されるタイミングである。
【符号の説明】
【０１１８】
１，２ 診療情報表示システム
１０   診療情報表示制御装置
１１   診療情報記憶部
１２   疾患情報取得部
１３   対応診療項目情報記憶部
１４   疾患情報選択受付部
１５   表示期間指定受付部
１６   表示制御部
１７   優先順位設定部
２０   診療科端末
３０   電子カルテ保管サーバ
４０   検査データ管理サーバ
５０   画像診断システム
Ｒ１   基本情報表示欄
Ｒ２   疾患情報リスト表示欄
Ｒ３   診療データ取得期間表示欄
Ｒ４   診療データ表示欄
Ｒ４１ 数値データ表示欄
Ｒ４２ 投薬期間表示欄
Ｒ４３ 画像情報表示欄
Ｒ５   診療項目リスト表示欄
【図１】
2015095217.tif 000003
【図３】
2015095217.tif 000004
【図４】
2015095217.tif 000005
【図５】
2015095217.tif 000006
【図６】
2015095217.tif 000007
【図７】
2015095217.tif 000008
【図８】
2015095217.tif 000009
【図９】
2015095217.tif 000010
【図１０】
2015095217.tif 000011
【図１１】
2015095217.tif 000012
【図２】
2015095217.tif 000013